(57)【要約】【課題】  パネル等の操作表示部に設け、機器の動作設定などを入力するスイッチを操作する洗濯機等の操作ボタン装置において、ボタン部の裏面に印刷した文字を立体的に見せるようにして、各ボタン部を識別できるようにし、安価な方法で、また使い勝手および視認性を向上する。【解決手段】  パネル２１等に設けた操作表示部２８に上下動自在にボタン支え部２９を形成し、このボタン支え部２９の取付空間部３１にボタン部３２を配設し、ボタン支え部２９を介してボタン部３２によりスイッチ３６を操作する。ボタン部３２の表面に略球面状部３３を設けるとともに裏面に平面部３４を設け、ボタン部３２の平面部３４である裏面に文字を印刷する。【選択図】  図１
2005085715.tif 000002
【特許請求の範囲】
【請求項１】
パネル等に設けた操作表示部に上下動自在に形成したボタン支え部と、このボタン支え部の取付空間部に配設したボタン部と、前記ボタン支え部を介して前記ボタン部により操作するスイッチとを備え、前記ボタン部の表面に略球面状部を設けるとともに裏面に平面部を設け、前記ボタン部の平面部である裏面に文字を印刷した洗濯機等の操作ボタン装置。
【請求項２】
ボタン支え部の取付空間部側の面とボタン部の裏面の少なくともいずれか一方に凸部を設け、前記凸部を介して前記ボタン部に印刷した文字がない位置で前記ボタン部により前記ボタン支え部を押圧するようにした請求項１記載の洗濯機等の操作ボタン装置。
【発明の詳細な説明】
【技術分野】
【０００１】
本発明は、パネル等の操作表示部に設け、機器の動作設定などを入力するスイッチを操作する洗濯機等の操作ボタン装置に関するものである。
【背景技術】
【０００２】
従来、この種の洗濯機等の操作ボタン装置は、図７および図８に示すように構成していた。以下、その構成について説明する。
【０００３】
図７に示すように、パネル１は、洗濯槽（図示せず）を開閉自在に覆う蓋２を取り付けており、このパネル１にパネルシート３を設けている。このパネルシート３に操作ボタン部４、５ａ〜５ｅ、コース表示ランプ６などを設けている。操作ボタン部４は洗濯動作を開始するとき操作するものであり、操作ボタン部５ａ〜５ｅは所定の運転コースを選択するとき操作するものである。コース表示ランプ６は、操作ボタン部５ａ〜５ｅにより所定の運転コースを選択すると点灯する。電源スイッチ７は、洗濯機本体の電源を入／切するものである。
【０００４】
操作ボタン部４、５ａ〜５ｅは、図８に示すように構成しており、パネル１の操作表示部８の下方に制御装置９を装着し、この制御装置９にスイッチ１０を設けている。このスイッチ１０は、操作表示部８のボタン部１１に設けた押圧部１２により押圧されてオン、オフできるように構成している。ここで、ボタン部１１は、ボタン支持部１３により操作表示部８に上下動自在に支持している。
【０００５】
操作表示部８の上面に弾性を有するパネルシート３を貼着し、パネルシート３に設けたシートボタン部１４より、ボタン部１１を介してスイッチ１０を押圧できるようにしている。
【０００６】
上記構成において動作を説明すると、電源スイッチ７をオンし、操作ボタン部５ａ〜５ｅの内の選択する操作ボタン部、例えば５ａを押圧すると、ボタン部１１に設けた押圧部１２によりスイッチ１０を押圧してオンし、所定のコースを選択する。そして、選択したコースのコース表示ランプ６が点灯する。ここで、操作ボタン部４を押圧すると、ボタン部１１に設けた押圧部１２によりスイッチ１０を押圧してオンし、洗濯動作を開始する。各操作ボタン部４、５ａ〜５ｅはパネルシート３の表面に印刷してある文字を見ながらシートボタン部１４を押すことになる（例えば、特許文献1参照）。
【特許文献１】特開２００１−０８７５９５号公報
【発明の開示】
【発明が解決しようとする課題】
【０００７】
このような従来の構成では、洗濯機等の動作を開始する場合、パネルシート３を見ただけでは、他のシートボタン部１４と見た目で差がなく、重要なシートボタン部や特徴あるシートボタン部を使用者は判断しにくく、使い勝手がよくなかった。
【０００８】
本発明は上記課題を解決するもので、ボタン部の裏面に印刷した文字を立体的に見せるようにして、各ボタン部を識別できるようにし、安価な方法で、また使い勝手および視認性を向上することを目的としている。
【課題を解決するための手段】
【０００９】
本発明は上記目的を達成するために、パネル等に設けた操作表示部に上下動自在にボタン支え部を形成し、このボタン支え部の取付空間部にボタン部を配設し、ボタン支え部を介してボタン部によりスイッチを操作するよう構成し、ボタン部の表面に略球面状部を設けるとともに裏面に平面部を設け、ボタン部の平面部である裏面に文字を印刷したものである。
【００１０】
これにより、ボタン部の裏面に印刷した文字を立体的に見せることができて、各ボタン部を識別しやすくすることができ、使い勝手および視認性を向上することができる。また、裏面が平面であるため、安価な方法で印刷することができ、量産性を向上することができる。
【発明の効果】
【００１１】
本発明の洗濯機等の操作ボタン装置は、ボタン部の裏面に印刷した文字を立体的に見せることができて、各ボタン部を識別することができ、使い勝手および視認性を向上することができる。
【発明を実施するための最良の形態】
【００１２】
第１の発明は、パネル等に設けた操作表示部に上下動自在に形成したボタン支え部と、このボタン支え部の取付空間部に配設したボタン部と、前記ボタン支え部を介して前記ボタン部により操作するスイッチとを備え、前記ボタン部の表面に略球面状部を設けるとともに裏面に平面部を設け、前記ボタン部の平面部である裏面に文字を印刷したものであり、ボタン部の表面に設けた略球面状部により、ボタン部の裏面の平面部に印刷した文字を立体的に見せることができて、各ボタン部を識別することができ、使い勝手および視認性を向上することができる。また、裏面が平面であるため、印刷がしやすく、量産性を向上することができ、コストを安価にできる。
【００１３】
第２の発明は、上記第１の発明において、ボタン支え部の取付空間部側の面とボタン部の裏面の少なくともいずれか一方に凸部を設け、前記凸部を介して前記ボタン部に印刷した文字がない位置で前記ボタン部により前記ボタン支え部を押圧するようにしたものであり、ボタン部を操作したとき、凸部を介してボタン部に印刷した文字がない位置でボタン支え部を押圧するので、ボタン部の裏面の印刷がこすれてはがれることがないため、品格を損なうことがなく、安定したボタン部の視認性を保つことができる。
【００１４】
以下、本発明の実施の形態について、図面を参照しながら説明する。なお、この実施の形態によって本発明が限定されるものではない。
【００１５】
（実施の形態１）
図２に示すように、パネル２１は、洗濯槽（図示せず）を開閉自在に覆う蓋２２を取り付けており、このパネル２１にパネルシート２３を設けている。このパネルシート２３にシートボタン２４、２５ａ〜２５ｅを設けている。シートボタン２４は洗濯動作をスタート・一時停止するとき操作するものであり、シートボタン２５ａ〜２５ｅは、洗濯のみ、乾燥のみ、洗濯・乾燥、短時間乾燥、少量洗濯・乾燥など所定の運転コースを選択するとき操作するものである。電源入りスイッチ２６は、洗濯機本体の電源を入れるもので、電源切りスイッチ２７は、洗濯機本体の電源を切るものである。
【００１６】
パネル２１に、図３に示すように、操作表示部２８を設けており、この操作表示部２８のシートボタン２４、２５ａ〜２５ｅに対応した位置にボタン支え部２９を操作表示部２８に対して上下動自在に設けている。すなわち、パネル２１はポリプロピレン樹脂あるいはポリスチレン樹脂等により形成し、図１に示すように、操作表示部２８とボタン支え部２９との間に薄肉部３０を設けてボタン支え部２９を上下動自在としている。
【００１７】
ボタン支え部２９の上面に、図１に示すように、取付空間部３１を形成し、この取付空間部３１にボタン部３２を配設している。ボタン部３２は、ポリスチレン樹脂などの透明な樹脂で形成し、表面に略球面状部３３を設けるとともに、裏面に平面部３４を設け、このボタン部３２の裏面の平面部３４に、図２に示す「スタート・一時停止」、「洗濯」、「乾燥」、「洗濯・乾燥」、「短時間乾燥」、「少量洗・乾」などの文字を印刷している。
【００１８】
パネル２１の操作表示部２８の下方に制御装置３５を装着し、この制御装置３５にスイッチ３６を設けている。このスイッチ３６は、ボタン支え部２９を介してボタン部３２により操作するようにしている。
【００１９】
弾性脚部３７は、図４に示すように、複数のボタン部３２の外周縁をつなぐよう一体に形成し、この弾性脚部３７の端部側をボタン支え部２９の取付空間部３１の周縁に押さえ込み部材３８で挟着し、ボタン部３２をボタン支え部２９の取付空間部３１に位置するように弾性脚部３７にて支持している。
【００２０】
パネルシート２３は弾性を有し、操作表示部２８の上方に設けた押さえ込み部材３８に貼着し、このパネルシート２３のボタン部３２の上方にシートボタン２４、２５ａ〜２５ｅを形成しており、このシートボタン２４、２５ａ〜２５ｅの部分を透明にしている。なお、操作表示部２８の上方に押さえ込み部材３８を設けない構成の場合は、操作表示部２８の上面にパネルシート２３を貼着する。
【００２１】
上記構成において動作、作用を説明する。電源入りスイッチ２６をオンし、シートボタン２５ａ〜２５ｅの内、例えば、シートボタン２５ａを選択して押圧すると、図５に示すように、ボタン支え部２９が薄肉部３０を支点としてたわみ、ボタン部３２、ボタン支え部２９を介してスイッチ３６をオンすることができて、所定の運転コースを選択することができる。ついで、シートボタン２４を押圧すると、同様にして、ボタン部３２、ボタン支え部２９を介してスイッチ３６をオンすることができて、運転を開始する。
【００２２】
このとき、ボタン部３２の表面に設けた略球面状部３３により、ボタン部３２の裏面の平面部３４に印刷した文字を立体的に見せることができて、各ボタン部を識別しやすくすることができる。
【００２３】
以上のように、本実施の形態においては、操作表示部２８に上下動自在に形成したボタン支え部２９を介して、ボタン部３２によりスイッチ３６を操作するよう構成し、ボタン部３２の表面に略球面状部３３を設けるとともに裏面に平面部３４を設け、ボタン部３２の平面部である裏面に文字を印刷したので、ボタン部３２の裏面に印刷した文字を立体的に見せることができて、各ボタン部３２を識別しやすくすることができ、使い勝手および視認性を向上することができる。また、歩端部３２の裏面が平面であるため、安価な方法で印刷することができ、量産性を向上することができる。
【００２４】
（実施の形態２）
図６に示すように、ボタン支え部３９は、操作表示部２８との間に薄肉部４０を設けて、操作表示部２８に上下動自在に形成し、このボタン支え部３９の取付空間部４１側の面に略リング状の凸部４２を設け、凸部４２を介してボタン部３２に印刷した文字がない位置でボタン部３２によりボタン支え部３９を押圧するよう構成している。宅構成は上記実施例１と同じであり、同一符号を付して説明を省略する。
【００２５】
上記構成において動作、作用を説明する。所定のシートボタンを選択して押圧すると、ボタン支え部３９が薄肉部４０を支点としてたわみ、ボタン部３２、ボタン支え部３９を介してスイッチ３６をオンすることができて、所定の運転コースを選択することができる。
【００２６】
このとき、凸部４２を介してボタン部３２に印刷した文字がない位置でボタン部３２によりボタン支え部３９を押圧するよう構成しているので、ボタン部３２を操作したとき、凸部４２を介してボタン部３２に印刷した文字がない位置でボタン支え部３９を押圧するので、ボタン部３２の裏面の印刷がこすれてはがれることがない。
【００２７】
以上のように、本実施の形態においては、ボタン支え部３９の取付空間部４１側の面に略リング状の凸部４２を設け、凸部４２を介してボタン部３２に印刷した文字がない位置でボタン部３２によりボタン支え部３９を押圧するようにしたので、ボタン部３２を操作したとき、凸部４２を介してボタン部３２に印刷した文字がない位置でボタン支え部３９を押圧するため、ボタン部３２の裏面の印刷がこすれてはがれることがなく、品格を損なうことがなく、安定したボタン部の視認性を保つことができる。
【００２８】
なお、本実施の形態では、ボタン支え部３９の取付空間部４１側の面に略リング状の凸部４２を設けているが、略リング状の凸部４２はボタン部３２の裏面に設けてもよく、また、ボタン支え部３９の取付空間部４１側の面とボタン部３２の裏面の両方に設けてもよく、同様の作用、効果を得ることができる。
【００２９】
また、凸部４２は略リング状としているが、ボタン部３２に印刷した文字がない位置であれば、略リング状でなくてもよいことはいうまでもない。
【産業上の利用可能性】
【００３０】
以上のように、本発明にかかる洗濯機等の操作ボタン装置は、ボタン部の裏面に印刷した文字を立体的に見せることができて、各ボタン部を識別しやすくすることができ、使い勝手および視認性を向上することができるので、パネル等の操作表示部に設け、機器の動作設定などを入力するスイッチを操作する洗濯機等の操作ボタン装置等として有用である。
【図面の簡単な説明】
【００３１】
【図１】本発明の第１の実施の形態の洗濯機等の操作ボタン装置の断面図
【図２】同洗濯機等の操作ボタン装置を備えた洗濯機の要部上面図
【図３】同洗濯機等の操作ボタン装置を備えた洗濯機のパネルの要部上面図
【図４】同洗濯機等の操作ボタン装置の弾性脚部で連結したボタン部の上面図
【図５】同洗濯機等の操作ボタン装置のボタン部を押した状態の断面図
【図６】本発明の第１の実施の形態の洗濯機等の操作ボタン装置の断面図
【図７】従来の洗濯機等の操作ボタン装置を備えた洗濯機の要部上面図
【図８】同洗濯機等の操作ボタン装置の要部分解斜視図
【符号の説明】
【００３２】
２１  パネル
２８  操作表示部
２９  ボタン支え部
３１  取付空間部
３２  ボタン部
３３  略球面状部
３４  平面部
３６  スイッチ
【図１】
2005085715.tif 000003
【図２】
2005085715.tif 000004
【図３】
2005085715.tif 000005
【図４】
2005085715.tif 000006
【図５】
2005085715.tif 000007
【図６】
2005085715.tif 000008
【図７】
2005085715.tif 000009
【図８】
2005085715.tif 000010